(57)【要約】【課題】パッティングにおける正確性の向上。【解決手段】クラブヘッド２の打球面２１よりも上方に鏡面部４を備え、当該鏡面部４を、少なくとも、プレーヤーがアドレス時において上方からクラブヘッド２を見たときにボールＢと目標物が映る態様でクラブヘッド２と一体化した。【選択図】図１
2004016302.tif 000002
【特許請求の範囲】
【請求項１】
クラブヘッドの打球面よりも上方に鏡面部を備え、
当該鏡面部は、少なくとも、プレーヤーがアドレス時において上方からクラブヘッドを見たときにボールと目標物が映る態様でクラブヘッドと一体化されているパター。
【請求項２】
鏡面部は、映る風景が拡大される構造を備えている請求項１に記載のパター。
【請求項３】
鏡面部は、クラブヘッドに鏡作用が発生するめっきをすることにより構成されている請求項１または請求項２に記載のパター。
【請求項４】
鏡面部は、クラブヘッドに鏡作用を有する反射材を蒸着することにより構成されている請求項１または請求項２に記載のパター。
【請求項５】
鏡面部は、クラブヘッドに鏡を固着することにより構成されている請求項１または請求項２に記載のパター。
【発明の詳細な説明】
【０００１】
【発明の属する技術分野】
本発明は、ゴルフに用いられるクラブの１種であるパターに関する。
【０００２】
【従来技術】
パッティングはスコアメイクにおいて重要なプレーであるが、このパッティングが巧く行えなかったために、大きくスコアを落とす例が見受けられる。
パッティング時においてボールを目標物（ピン，ホール）に向かって正確に打つには、打球面（フェース面）を目標物とボールを結ぶラインに対して正確に直交させて打つ必要があるが、通常ではプレーヤー自らの目測に頼っていることから、打球面のラインに対する角度のずれが生じる可能性がある。
特に、ボールから目標物までの距離が遠くなるに伴ってパッティング時における目測の正確性が要求される
そして、このずれが生じた状態においてパッティングを行った場合には、ボールの方向は目標物から外れてしまう。
ところが、パッティング時における目測は、特に、一般のアマチュアプレーヤーにとっては極めて難しく、この目測が外れることが多いものである。
【０００３】
【発明が解決しようとする課題】
そこで本発明は、パッティングにおける正確性の向上を課題とし、この課題を達成できるパターの提供を目的とする。
【０００４】
【課題を解決するための手段】
上記した目的を達成するために本発明は下記の技術的手段を採用する。
その技術的手段は、クラブヘッド２の打球面２１よりも上方に鏡面部４を備え、当該鏡面部４は、少なくとも、プレーヤーがアドレス時において上方からクラブヘッド２を見たときにボールＢと目標物が映る態様でクラブヘッド２と一体化されているパター１にしたことである。（請求項１）
【０００５】
【発明の実施の形態】
本発明のパターにおけるクラブヘッドの素材は、周知の鉄系や銅系の金属系素材の他に、プラスティックに代表される硬質の合成樹脂系素材も含む。
上方からクラブヘッドを見たときにボールと目標物が映る態様とは、基本的には、鏡面部をクラブヘッドの前側（打球面側）から後方へ上向き傾斜とする傾斜面とした態様である。
鏡面部の傾斜角については、プレーヤーがアドレス時において上方からクラブヘッドを見たときに、ボールと目標物が同時に鏡面部に映る角度の範囲であれば任意であり、この範囲内で、クラブヘッドのデザインや、各プレーヤー固有のアドレス時の姿勢あるいは視線等を考慮して鏡面部の傾斜角を決定する。
【０００６】
鏡面部は、傷付きの防止のために、パッティング時においてボールが接触しない位置とすることが好適である。
また、鏡面部の傷付きに関してはパッティング以外にも、土砂が付着による傷付きやゴルフバッグにおいて他のクラブと接触することによる傷付きの可能性もあるため、鏡面部に傷付き防止のコーティングを施すことが好ましい。
コーティングとしては、例えば、フッ素樹脂コーティング、水系ウレタンプライマーコーティング、透明または透視性を損なわない程度の透明性を有する着色フィルム貼着け、あるいは、透明または透視性を損なわない程度の透明性を有する着色塗料の塗装によるコーティング等が挙げられる。
前記着色されたフィルム貼付けや着色塗料の塗装によるコーティングの場合には、クラブヘッドにおける鏡面部に現れる外観上多様な色彩が、パターのデザイン性の向上に大きく寄与する。
【０００７】
鏡面部４は、映る風景が拡大される構造を備える（請求項２）ことにより、目標物が遠い場合においても、目標物が拡大されて視認される。
映る風景を拡大する構造としては、鏡面部を凸状とする構成が挙げられ、この場合、図２に示すように、鏡面部４の下端部から上端部に亘って凸状とすることが好ましい。
また、鏡面部を拡大鏡構造とすることも挙げられる。
【０００８】
本発明における鏡面部とクラブヘッドの一体化とは、少なくとも、通常の使用や使用者の手で分離しない程度に一体にされる状態を意味する。
鏡面部とクラブヘッドの一体化を実現する手段としては、例えば、クラブヘッドに鏡作用が発生するめっきをする（請求項３）、クラブヘッドに鏡作用を有する反射材を蒸着する（請求項４）、クラブヘッドに鏡を固着する（請求項５）等の手段が挙げられ、これらの手段によって鏡面部とクラブヘッドの一体化が実現する。
ここでいう鏡作用とは、通常の鏡と同等の光反射機能を備え、その機能によって通常の鏡と同等に対象物が映る作用を意味する。
また、鏡作用を有する反射材とは、例えば金属箔が挙げられる。（例えば、アルミ箔や亜鉛・アルミ合金箔）
【０００９】
【実施例】
以下、本発明の実施例を図面に基づいて説明する。
なお、本実施例におけるパター１は、クラブヘッド２の形態を除いて周知の形態のものであるので、図示ではクラブヘッド２とシャフト３の一部を示し、これ以外は図示および説明を省略する。
【００１０】
図１および図２に示すパター１は、鏡面部４を一体化したクラブヘッド２を備えたものである。
詳述すると、クラブヘッド２における打球面２１の上方に、鏡面部４が配設され、側面部に突出形成した支持部２２にシャフト３が挿し込み固定されてなる。
鏡面部４は、図２に示すように、上端から下端に亘って前方に突出させた凸状とすることによって、鏡面部４に映る風景が拡大されるようにしてある。
また、打球面２１は、少なくとも、ボールを打ったときに、ボールが鏡面部４に接触しない高さとしており、これによって、鏡面部４がボールに接触しない位置になって、鏡面部４の傷付きが防止される。
このようなクラブヘッド２は、あらかじめ前記鏡面部４の配設位置を前記したような凸状とするヘッド本体を形成し、このヘッド本体の前記鏡面部４の配設位置に、鏡作用を有するめっき処理を施すことによって構成される。
なお、前記した形態のパターでは、前記ヘッド本体の鏡面部の配設位置をフラットに形成し、当該部分に表面を凸状とする凸状鏡を固着することによって、映る風景が拡大される鏡面部を備えるようにしてもよい。（図示せず。）
【００１１】
図３に示すパター１は、打球面２１から鏡面部４の構成が図１および図２に示すクラブヘッド２と同様とし、シャフト３の挿し込み位置が異なる形態のものである。
このパター１は、クラブヘッド２の上面を、鏡面部４の上端から後方へ延長し、この延長された上面にシャフト３を挿し込み固定してなる。
【００１２】
図４に示すパター１は、鏡面部４をフラットに構成した例を示している。
このパター１は、あらかじめ前記鏡面部４の配設位置をフラットするヘッド本体を形成し、このヘッド本体の前記鏡面部４の配設位置に、鏡作用を有するめっき処理を施すことによって構成される。
なお、前記した形態のパターでは、前記ヘッド本体の鏡面部の配設位置に、表面をフラットとする拡大鏡を固着することによって、表面フラットでありながら、映る風景が拡大される鏡面部が備えられる。（図示せず）
【００１３】
【発明の効果】
本発明のパターは以上説明したとおり、下記の優れた特有の効果を有する。
請求項１の発明によれば、プレーヤーがアドレス時において上方から鏡面部に映るボールと目標物とを見ながら、クラブヘッドの角度を調整してボールと目標物とが一致したときに、打球面のフェース面が目標物前記ラインと直交することになる。
つまり、フェース面のラインに対する角度のずれを視認によって解消することができるので、打球を正確に目標物に向かって打つことが簡単にできる。
しかも、鏡面部を打球面よりも上方に位置させることによって、少なくとも、通常の使用においてボールが鏡面部へ接触しないので、ボールによる鏡面部の傷付を防止することができる。
さらに、鏡面部とクラブヘッドとを一体化したことによって、少なくとも、通常の使用においてクラブヘッドと鏡面部との分離が生じない。
したがって、長期に亘って鏡面部の視認性を損なうことなく使用することができるので、プレーヤー自身が負担するメンテナンスコストを大幅に削減することができる。
【００１４】
請求項２の発明によれば、請求項１の効果に加えて、鏡面部に映る風景が拡大されるので、目標物が遠い場合においても視認性を全く損ねることが無いし、プレーヤーのフォームや身長あるいはパターの長さ等にかかわらず、視認性を確実に確保することができる。
したがって、ボールを目標物に向かって正確に打つという点において極めて大きな効果が有る。
そして、請求項３ないし請求項５の発明によって、前記請求項１および請求項２の効果を備えるパターの鏡面部を構成することができる。
【図面の簡単な説明】
【図１】本発明にかかるパターの要部斜視図。
【図２】図１の（１）−（１）線断面図。
【図３】他の例の要部断面図。
【図４】他の例の要部断面図。
【符号の説明】
１：パター
２：クラブヘッド
２１：打球面
３：シャフト
４：鏡面部
Ｂ：ボール
【図１】
2004016302.tif 000003
【図２】
2004016302.tif 000004
【図３】
2004016302.tif 000005
【図４】
2004016302.tif 000006